【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
第１のネットワークおよび第２のネットワークを含み、移動局が第１および第２のネットワークの何れか一方に接続できる通信システムにおいて、前記第１および第２のネットワークの内の前記移動局が現在接続されていないネットワークにおける通信を前記移動局に通知する方法であって、前記方法は、
前記第１および第２のネットワークの一方にキャンプオンしている前記移動局のアドレスおよび識別情報を記憶するステップと、
前記第１および第２のネットワークの内の前記移動局が現在接続されていないネットワークから通信要求を受信するステップと、
前記第１および第２のネットワークの一方にキャンプオンしている移動局の記憶されたアドレスを使って、前記第１および第２のネットワークの内の前記移動局が現在接続されているそのネットワークを介して、前記通信要求を受信したという警告を送信するステップと、
を有し、
前記警告は、前記第１および第２のネットワークの内の前記移動局が現在接続されていないネットワークに前記通信要求があるということを前記移動局に通知し、
前記識別情報は、前記移動局が現在、何れのネットワークにキャンプオンしているかを示す方法。
【請求項２】
請求項１に記載の方法において、前記記憶するステップは、
前記移動局が、第１および第２のネットワークの間におけるキャンプオン状態を変更した場合にそれを検出するステップと、
前記移動局がキャンプオンしているネットワークにおける前記移動局のアドレスによってメモリを更新するステップと、を有する方法。
【請求項３】
請求項１に記載の方法において、前記第１のネットワークが音声ネットワークであり、前記第２のネットワークがページングネットワークである方法。
【請求項４】
請求項１に記載の方法において、前記第１のネットワークが音声ネットワークであり、前記第２のネットワークがデータネットワークである方法。
【請求項５】
請求項４に記載の方法において、
前記移動局は当初は前記第１のネットワークにキャンプオンしており、
前記記憶するステップは、前記移動局が前記第２のネットワークにキャンプオンした後に発生し、
前記受信するステップは、前記第１のネットワークから通信要求を受信する方法。
【請求項６】
請求項４に記載の方法において、前記受信するステップは、前記第２のネットワークから通信要求を受信する方法。
【請求項７】
請求項４に記載の方法において、
前記移動局は当初は前記第２のネットワークにキャンプオンしており、
前記記憶するステップは、前記移動局が前記第１のネットワークにキャンプオンした後に発生し、
前記受信するステップは、前記第１のネットワークから通信要求を受信する方法。
【請求項８】
請求項４に記載の方法において、前記データネットワークがパケットデータネットワークである方法。
【請求項９】
請求項４に記載の方法において、前記第１のネットワークが音声ネットワークであり、前記第２のネットワークがページングネットワークである方法。
【請求項１０】
請求項１に記載の方法において、前記警告は、前記受信した通信要求に関する情報を含む方法。
【請求項１１】
請求項１０に記載の方法であって、前記情報は、前記移動局が如何にして通信に接続するかを含む方法。
【請求項１２】
無線音声ネットワークおよび無線データネットワークを含み、移動局が第１の制御チャネルを介して前記音声ネットワークにキャンプオンすることができ、第２の制御チャネルを介して前記データネットワークにキャンプオンすることができるが両方のネットワークに同時にキャンプオンすることはできない無線通信システムにおいて、前記移動局が前記データネットワークにキャンプオンしている間に前記音声ネットワークからの通信を前記移動局に通知する方法であって、前記方法は、
前記移動局が前記無線データネットワークにキャンプオンしている時に前記移動局のアドレスを記憶するステップと、
前記移動局に対する通信要求を前記無線音声ネットワークから受信するステップと、
前記通信要求を前記無線音声ネットワークにおいて受信したという警告を、前記移動局の記憶されたアドレスを使って、前記無線データネットワークを介して送信するステップと、
を有し、
前記警告は、前記通信要求が前記無線音声ネットワークにあるということを前記移動局に通知し、
前記移動局は当初は前記無線音声ネットワークまたは前記無線データネットワークの何れかにキャンプオンしている、方法。
【請求項１３】
無線音声ネットワークおよび無線データネットワークを含み、移動局が第１の制御チャネルを介して前記無線音声ネットワークにキャンプオンすることができ、第２の制御チャネルを介して前記無線データネットワークにキャンプオンすることができるが両方のネットワークに同時にキャンプオンすることはできない無線通信システムにおいて、前記移動局が無線音声ネットワークにキャンプオンしている間に前記無線データネットワークからの通信を前記移動局に通知する方法であって、前記方法は、
前記移動局が前記無線音声ネットワークにキャンプオンしている時に前記移動局のアドレスを記憶するステップと、
前記移動局に対する通信要求を前記無線データネットワークから受信するステップと、
前記通信要求を受信したという警告を、前記移動局の記憶されたアドレスを使って、前記無線音声ネットワークを介して送信するステップと、
を有し、
前記警告は、前記通信要求が前記無線データネットワークにあるということを前記移動局に通知し、
前記移動局は、当初は前記無線音声ネットワークまたは前記無線データネットワークの何れかにキャンプオンしている、方法。
【請求項１４】
移動局がネットワークを変更した後に、通信要求が、１つのネットワークにしか接続できない前記移動局を追跡できるようにする通信システムにおいて、前記システムは、
前記移動局が接続されているネットワークにおける前記移動局のアドレスおよび識別情報を記憶するメモリと、
前記移動局が接続されていないネットワークにおいて通信要求を受信する受信機と、
前記メモリおよび前記受信機に接続され、前記通信要求を受信したことを、前記移動局の前記アドレスおよび前記識別情報を使って、前記移動局が接続されている前記ネットワークを介して、前記移動局に警告するプロセッサと、
を有し、
前記移動局がネットワーク状況を変更して、前記通信要求に関連するネットワークにキャンプオンしたことを示す指標を受信し、
前記識別情報は、前記移動局が現在、いずれのネットワークにキャンプオンしているかを示す、通信システム。
【請求項１５】
請求項１４に記載のシステムにおいて、前記移動局は無線音声ネットワークに接続し、続いて無線データネットワークに変更され、前記通信要求は前記音声ネットワークによって受信されるシステム。
【請求項１６】
請求項１４に記載のシステムにおいて、前記移動局はデータネットワークに接続し、続いて音声ネットワークに変更され、前記通信要求は前記データネットワークによって受信されるシステム。
【請求項１７】
無線通信システムにおいて、１個の移動局が一度に１つのネットワークに接続するように制限されている場合に、前記１個の移動局が多数の無線ネットワークを介して通信できるようにする方法であって、
前記移動局を、第１の無線ネットワークに関連する制御チャネルを通して前記第１の無線ネットワークに登録するステップと、
前記第１の無線ネットワークにおける前記移動局のアドレスをメモリに記憶するステップと、
前記移動局を、前記第２の無線ネットワークに関連する第２の制御チャネルを通して第２の無線ネットワークに登録するステップと、
前記第２の無線ネットワークにおける前記移動局のアドレスをメモリに記憶するステップと、
メモリにおいて前記移動局の記憶されたアドレスを互いに関連づけるステップと、
前記移動局が現在、いずれの無線ネットワークにキャンプオンしているかを示す識別情報をメモリに記憶するステップと、
前記第１の無線ネットワークを通して前記移動局との接続を確立する要求を受信するステップと、
前記移動局が前記第１の無線ネットワークにキャンプオンしているかを前記識別情報を使って検出するステップと、
前記移動局が前記第１の無線ネットワークにキャンプオンしている場合には、前記第１の無線ネットワークを通して前記移動局との接続を確立するステップと、
前記移動局が前記第１の無線ネットワークにキャンプオンしていない場合には、
前記第２の無線ネットワークにおける前記移動局の記憶されたアドレスを使って、前記第２の無線ネットワークを介して前記移動局に警告を送信するステップと、
前記移動局が前記第１の無線ネットワークにキャンプオンしたことを示す指標を受信するステップと、
前記移動局が前記第１の無線ネットワークにキャンプオンした後に前記第１の無線ネットワークを通して前記移動局との接続を確立する方法。
【請求項１８】
第１の無線ネットワークおよび第２の無線ネットワークを含み、移動局が第１および第２のネットワークの何れか一方に接続できる通信システムにおいて、前記第１および第２のネットワークの内の前記移動局が現在接続されていないネットワークの通信について前記移動局に通知する方法であって、前記方法は、
前記第１のネットワークにおける前記移動局の第１のネットワークアドレスを記憶するステップと、
前記第２のネットワークにおける前記移動局の第２のネットワークアドレスを記憶するステップと、
前記第１のネットワークと前記第２のネットワークとの間のメッセージを介して、前記第１のネットワークアドレスを前記第２のネットワークアドレスに関連づけるステップと、
前記第１および第２のネットワークの内の前記移動局が現在接続されていないネットワークにおいて通信要求を受信するステップと、
前記第１および第２のネットワークの内の前記移動局が現在接続されていないネットワークから、前記第１および第２のネットワークの内の前記移動局が現在接続されているネットワークへ、通信要求トリガを送信するステップと、
前記第１および第２のネットワークの内の前記移動局が現在接続されているネットワークにおいて警告を、前記第１および第２のネットワークアドレスの内の前記移動局が接続されているネットワークに対応する前記第１および第２のネットワークアドレスのネットワークアドレスを使って送信するステップと、
を有し、
前記警告は、前記第１および第２のネットワークの内の前記移動局が現在接続されていないネットワークにおいて前記通信要求が受信されたことを示す方法。
【請求項１９】
請求項１８に記載の方法において、
前記第１のネットワークにおける第１の指示フラッグを記憶するステップと、
前記第２のネットワークにおける第２の指示フラッグを記憶するステップと、
を更に有し、
前記第１の指示フラッグは、前記移動局が前記第１のネットワークにキャンプオンしているか否かを示し、
前記第２の指示フラッグは、前記移動局が前記第２のネットワークにキャンプオンしているか否かを示す方法。
【請求項２０】
請求項１８に記載の方法において、前記警告は、前記通信要求に関する情報を含む方法。
【請求項２１】
請求項２０に記載の方法において、前記情報は、前記移動局が如何にして前記通信要求に反応するかを含む方法。
【請求項２２】
請求項１８に記載の方法において、前記第１のネットワークが音声ネットワークであり、前記第２のネットワークが音声ネットワークである方法。
【請求項２３】
請求項１８に記載の方法において、前記第１のネットワークがパケットデータネットワークであり、前記第２のネットワークがパケットデータネットワークである方法。
【請求項２４】
請求項１８に記載の方法において、第１のネットワークが音声ネットワークであり、第２のネットワークがパケットデータネットワークである方法。
【請求項２５】
請求項１８に記載の方法において、第１のネットワークがパケットデータネットワークであり、第２のネットワークが音声ネットワークである方法。
【請求項２６】
移動局が一度に複数の無線ネットワークの中の１つの無線ネットワークにのみキャンプオンすることができる通信システムにおいて、前記複数のネットワークの内の前記移動局が現在接続されている特定のネットワークにおける移動データ中間システムを動作させて、前記複数のネットワークの内の前記移動局が現在接続されていない１つのネットワークにおける通信を前記移動局に通知する方法であって、前記方法は、
前記特定のネットワークにおける前記移動局のネットワークアドレスを記憶するステップと、
前記複数の無線ネットワークの内の前記移動局が現在接続されていない少なくとも１つのネットワークに、前記記憶されたネットワークアドレスを通知するステップと、
前記複数の無線ネットワークの内の前記移動局が現在接続されていない１つのネットワークから通信要求トリガを受信するステップと、
前記記憶されたネットワークアドレスを用いて、警告を前記特定のネットワークにおいて送信するステップと、
を有し、
前記警告は、前記複数の無線ネットワークの内の前記移動局が現在接続されていない１つのネットワークにおいて通信要求が受信されたことを示す方法。
【請求項２７】
請求項２６に記載の方法において、
前記特定のネットワークにおける指示フラッグを記憶するステップを更に有し、
前記指示フラッグは、前記移動局が前記特定のネットワークにキャンプオンしているか否かを示す方法。
【請求項２８】
請求項２６に記載の方法において、
前記特定のネットワークが音声ネットワークであり、
前記複数の無線ネットワークの内の前記移動局が現在接続されていない少なくとも１つのネットワークがパケットデータネットワークである方法。
【請求項２９】
請求項２６に記載の方法において、前記警告は前記通信要求に関する情報を含む方法。
【請求項３０】
請求項２９に記載の方法において、前記情報は前記移動局が如何にして前記通信要求に反応するかを含む方法。
【請求項３１】
移動局が一度に複数の無線ネットワークの中の１つの無線ネットワークにのみキャンプオンすることができる通信システムにおいて、前記複数のネットワークの内の前記移動局が現在接続されている特定のネットワークにおける移動データ中間システムを動作させて、前記複数のネットワークの内の前記移動局が現在接続されていない１つのネットワークにおける通信を前記移動局に通知する方法であって、前記方法は、
前記特定のネットワークにおける前記移動局のネットワークアドレスを記憶するステップと、
前記複数の無線ネットワークの内の前記移動局が現在接続されていない少なくとも１つのネットワークに、前記記憶されたネットワークアドレスを通知するステップと、
前記複数の無線ネットワークの内の前記移動局が現在接続されていない１つのネットワークから通信要求トリガを受信するステップと、
前記記憶されたネットワークアドレスを使って前記特定のネットワークにおいて警告を送信するステップと、
を有し、
前記警告は、前記複数の無線ネットワークの内の前記移動局が現在接続されていない１つのネットワークにおいて通信要求を受信したことを示す方法。
【請求項３２】
請求項３１に記載の方法において、
前記特定のネットワークにおける前記指示フラッグを記憶するステップを更に有し、
前記指示フラッグは、前記移動局が前記特定のネットワークにキャンプオンしているか否かを示す方法。
【請求項３３】
請求項３１に記載の方法において、
前記特定のネットワークがパケットデータネットワークであり、
前記複数の無線ネットワークの内の前記移動局が現在接続されていない少なくとも１つのネットワークが音声ネットワークである方法。
【請求項３４】
請求項３１に記載の方法において、前記警告は前記通信要求に関する情報を含む方法。
【請求項３５】
請求項３４に記載の方法において、前記情報は前記移動局が如何にして前記通信要求に反応するかを含む方法。
【請求項３６】
第１の無線ネットワークおよび第２の無線ネットワークを含み、移動局が制御情報を前記第２の無線ネットワークに通信するように設定されている通信システムにおいて、前記第１の無線ネットワークにおける待ち通信を前記移動局に通知する方法において、
前記第１のネットワークにおける前記移動局の第１のネットワークアドレスを記憶するステップと、
前記第２の無線ネットワークと通信するように設定されている前記移動局の第２のネットワークアドレスを、前記第１のネットワークにおいて前記第２のネットワークから受信するステップと、
前記第１のネットワークにおいて、前記移動局に対する待ち通信を受信するステップと、
前記第１のネットワークにおいて、前記第１および第２のネットワークアドレスを関連づけるステップと、
前記第１のネットワークから前記第２のネットワークへ要求を送信して、前記移動局の、関連づけられた第２のネットワークアドレスに対して警告メッセージを送信するステップと、
を有し、
前記警告メッセージは、前記第１のネットワークにおいて前記移動局に対する待ち通信が受信されたことを示す方法。
【請求項３７】
請求項３６に記載の方法において、
前記第１のネットワークにおける指示フラッグを記憶するステップを更に有し、
前記指示フラッグは、前記移動局が制御情報を前記第１のネットワークに通信するように設定されているかを示す方法。
【請求項３８】
請求項３６に記載の方法において、前記要求は前記第１のネットワークにおける待ち通信に関する情報を含む方法。
【請求項３９】
請求項３８に記載の方法において、前記情報は前記移動局が如何にして待ち通信に反応するかを含む方法。
【請求項４０】
請求項３６に記載の方法において、前記第１のネットワークが音声ネットワークであり、前記第２のネットワークが音声ネットワークである方法。
【請求項４１】
請求項３６に記載の方法において、前記第１のネットワークがパケットデータネットワークであり、前記第２のネットワークがパケットデータネットワークである方法。
【請求項４２】
請求項３６に記載の方法において、前記第１のネットワークが音声ネットワークであり、前記第２のネットワークがパケットデータネットワークである方法。
【請求項４３】
請求項３６に記載の方法において、前記第１のネットワークがパケットデータネットワークであり、前記第２のネットワークが音声ネットワークである方法。
【手続補正２】
【補正対象書類名】明細書
【補正対象項目名】００１０
【補正方法】変更
【補正の内容】
【００１０】
また、本発明のある態様は、第１のネットワークおよび第２のネットワークを含み、移動局が第１および第２のネットワークの何れか一方に接続できる通信システムにおいて、前記第１および第２のネットワークの内の前記移動局が現在接続されていないネットワークにおける通信を前記移動局に通知する方法であって、前記方法は、前記第１および第２のネットワークの一方にキャンプオンしている前記移動局のアドレスおよび識別情報を記憶するステップと、前記第１および第２のネットワークの内の前記移動局が現在接続されていないネットワークから通信要求を受信するステップと、前記第１および第２のネットワークの一方にキャンプオンしている移動局の記憶されたアドレスを使って、前記第１および第２のネットワークの内の前記移動局が現在接続されているそのネットワークを介して、前記通信要求を受信したという警告を送信するステップと、を有し、前記警告は、前記第１および第２のネットワークの内の前記移動局が現在接続されていないネットワークに前記通信要求があるということを前記移動局に通知し、前記識別情報は、前記移動局が現在、何れのネットワークにキャンプオンしているかを示すことを特徴とする。